【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部の変動表示を停止することで表示結果を導出し、該表示結果に応じて入賞が発生可能なスロットマシンにおいて、
前記可変表示部に表示結果を導出させる際に操作される導出操作手段と、
前記導出操作手段が操作されたときに、該導出操作手段の操作がなされた時点から予め定められた最大変動量の範囲内で前記可変表示部に導出可能な表示結果のうちいずれかの表示結果を導出させる制御を行う導出制御手段と、
を備え、
前記導出制御手段は、
前記導出操作手段が操作されたときに通常停止態様にて表示結果を導出させる通常導出制御を行う通常導出制御手段と、
前記導出操作手段が操作されたときに前記通常停止態様とは異なる特殊停止態様にて表示結果を導出させる特殊導出制御を行う特殊導出制御手段と、
を含み、
少なくとも一の可変表示部が未だ変動表示中であり、該可変表示部に対応する導出操作手段が操作される前の段階で、該導出操作手段の操作タイミングに関わらず必ず導出されることとなる表示結果であって価値の付与を伴う表示結果である所定表示結果が導出される可能性がある旨を示唆する所定事象が発生した場合に前記特殊導出制御を行わず、
少なくとも一の可変表示部が未だ変動表示中であり、該可変表示部に対応する導出操作手段が操作される前の段階で、該導出操作手段を特定操作タイミングで操作することで、該特定操作タイミング以外で操作したときには導出されることのない表示結果であって有利な状況を示唆する表示結果である特定表示結果が導出される可能性がある旨を示唆する特定事象が発生した場合に前記特殊導出制御を行う、スロットマシン。
【手続補正２】
【補正対象書類名】明細書
【補正対象項目名】０００８
【補正方法】変更
【補正の内容】
【０００８】
前記課題を解決するために、本発明の請求項１に記載のスロットマシンは、
各々が識別可能な複数種類の識別情報を変動表示可能な可変表示部を備え、
前記可変表示部の変動表示を停止することで表示結果を導出し、該表示結果に応じて入賞が発生可能なスロットマシンにおいて、
前記可変表示部に表示結果を導出させる際に操作される導出操作手段と、
前記導出操作手段が操作されたときに、該導出操作手段の操作がなされた時点から予め定められた最大変動量の範囲内で前記可変表示部に導出可能な表示結果のうちいずれかの表示結果を導出させる制御を行う導出制御手段と、
を備え、
前記導出制御手段は、
前記導出操作手段が操作されたときに通常停止態様にて表示結果を導出させる通常導出制御を行う通常導出制御手段と、
前記導出操作手段が操作されたときに前記通常停止態様とは異なる特殊停止態様にて表示結果を導出させる特殊導出制御を行う特殊導出制御手段と、
を含み、
少なくとも一の可変表示部が未だ変動表示中であり、該可変表示部に対応する導出操作手段が操作される前の段階で、該導出操作手段の操作タイミングに関わらず必ず導出されることとなる表示結果であって価値の付与を伴う表示結果である所定表示結果が導出される可能性がある旨を示唆する所定事象が発生した場合に前記特殊導出制御を行わず、
少なくとも一の可変表示部が未だ変動表示中であり、該可変表示部に対応する導出操作手段が操作される前の段階で、該導出操作手段を特定操作タイミングで操作することで、該特定操作タイミング以外で操作したときには導出されることのない表示結果であって有利な状況を示唆する表示結果である特定表示結果が導出される可能性がある旨を示唆する特定事象が発生した場合に前記特殊導出制御を行う
ことを特徴としている。
本発明の手段１のスロットマシンは、
遊技用価値（メダル）を用いて１ゲームに対して所定数の賭数を設定することによりゲームが開始可能となるとともに、各々が識別可能な複数種類の識別情報を変動表示可能な可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）であって、
前記可変表示装置（リール２Ｌ、２Ｃ、２Ｒ）に表示結果を導出させる際に操作される導出操作手段（ストップスイッチ８Ｌ、８Ｃ、８Ｒ）と、
前記導出操作手段（ストップスイッチ８Ｌ、８Ｃ、８Ｒ）が操作されたときに、該導出操作手段の操作がなされた時点から予め定められた最大変動量（４コマ）の範囲内で前記可変表示装置（リール２Ｌ、２Ｃ、２Ｒ）に導出可能な表示結果のうちいずれかの表示結果を導出させる制御を行う導出制御手段（リールの停止制御）と、
を備え、
前記導出制御手段は、
前記導出操作手段（ストップスイッチ８Ｌ、８Ｃ、８Ｒ）が操作されたときに通常の停止態様にて表示結果を導出させる通常導出制御（通常停止制御）を行う通常導出制御手段と、
前記導出操作手段（ストップスイッチ８Ｌ、８Ｃ、８Ｒ）が操作されたときに前記通常の停止態様とは異なる特殊な停止態様にて表示結果を導出させる特殊導出制御（低速停止制御）を行う特殊導出制御手段と、
を含み、
前記導出操作手段（ストップスイッチ８Ｌ、８Ｃ、８Ｒ）の操作がなされる前の段階で該導出操作手段（ストップスイッチ８Ｌ、８Ｃ、８Ｒ）を特定の操作タイミング（スイカＡまたはスイカＢの構成図柄の引込範囲内）で操作することで該特定の操作タイミング以外（スイカＡまたはスイカＢの構成図柄の引込範囲外）で操作した場合には導出されることのない特定の表示結果（スイカの入賞態様）が導出される可能性がある旨を示唆する特定事象（スイカＡの組み合わせまたはスイカＢの組み合わせが入賞ラインにテンパイすること）が発生した場合に、前記特定事象が発生していない場合よりも前記特殊導出制御手段により前記特殊導出制御（低速停止制御）が行われる割合が高い
ことを特徴としている。
この特徴によれば、導出操作手段の操作がなされる前の段階で該導出操作手段を特定の操作タイミングで操作することで該特定の操作タイミング以外で操作した場合には導出されることのない特定の表示結果が導出される可能性がある旨を示唆する特定事象が発生した場合、すなわち特定事象が発生しない場合に比較して、導出操作手段を特定の操作タイミングで操作するために可変表示装置の変動状況に着目している場合に、特定事象が発生していない場合よりも高い割合で特殊導出制御が行われることとなり、特殊導出制御が行われたことを遊技者に対して効果的に認識させることができるので、特殊な停止態様にて表示結果を導出させることによる興趣を効果的に高めることができる。
尚、特殊導出制御とは、導出操作手段が操作されてから表示結果が導出されるまでの速度を通常よりも遅くする制御や、表示結果をバウンドさせて停止させるなど、停止させる際の挙動を通常と異なる挙動とする制御などが該当する。
また、前記導出操作手段を特定の操作タイミングで操作することで該特定の操作タイミング以外で操作した場合には導出されることのない特定の表示結果が導出される可能性がある旨を示唆する特定事象とは、前記導出操作手段を特定の操作タイミングで操作することで該特定の操作タイミング以外で操作した場合には導出されることのない特定の表示結果が導出される可能性がある旨を示唆する演出が行われること、可変表示装置が複数の可変表示領域から構成され、導出操作手段の操作により可変表示領域毎に表示結果を導出させることが可能な場合には、既に表示結果が導出済みの可変表示領域の停止態様が、前記導出操作手段を特定の操作タイミングで操作することで該特定の操作タイミング以外で操作した場合には導出されることのない特定の表示結果が導出される可能性がある旨を示唆する停止態様であること（所定の表示結果が停止すること、所定の変動量で表示結果が停止すること、所定の変動量を伴って所定の表示結果が停止することなど）などが該当する。
また、前記導出操作手段を特定の操作タイミングで操作することで該特定の操作タイミング以外で操作した場合には導出されることのない特定の表示結果とは、入賞が発生することとなる表示結果や、遊技者にとって有利な状況が発生している旨またはその可能性を示唆する表示結果であり、かつ特定の操作タイミングで操作されたことを条件に表示させることが可能であり、特定の操作タイミング以外で操作された場合には導出されることのない表示結果である。